(57)【要約】      （修正有）【課題】施工を簡易化し、経済性を有する可変収納間仕切りユニットの改良構造を提供する。【解決手段】収納間仕切りユニットの寸法幅を900ｍｍ以下で且つ高さ寸法を複数種類設定し、この組み立て自在な分割ユニット体であり、この分割ユニット体を積み重ねる事により希望の高さに構成される。収納間仕切りユニットの裏面側にはボルトＣを備えた取り付け具を取り付けた裏面用パネルＡを用いて、下地材不要でキャビネットＨに取り付ける。また収納間仕切りユニットに水平方向断面梯形状の用いて、曲線設計も可能にする。【選択図】図１
0003152891.tif 000002
【実用新案登録請求の範囲】
【請求項１】
収納間仕切りユニットの改良構造であって、
収納間仕切りユニットの寸法幅を９００ｍｍ以下でかつ高さ寸法を複数種類設定し、この組み立て自在は分割ユニット体で構成される事を特徴とする収納間仕切りユニットの改良構造。
【請求項２】
収納間仕切りユニットの裏面側に、ボルト等の締結具を備えた取り付具を有して下地材不要でキャビネット（枠体）に取り付け可能となる裏面用パネルを用いた事特徴とする請求項１記載の収納間仕切りユニットの改良構造。
【請求項３】
水平方向断面梯形（台形）状の収納間仕切りユニットを備えた請求項１又は２記載の収納間仕切りユニットの改良構造。
【考案の詳細な説明】
【技術分野】
【０００１】
本考案は可変収納間仕切りユニットを改良する事により、住宅の住み手の変化や多岐にわたる要望を解決するための手段として、間仕切りを変えることが望まれますが、改装工事に伴う問題が発生します。施工に伴う時間や費用等、多くの面倒が起こります。改良可変収納間仕切りユニットによりこれらの問題を解消して、簡単な施工方法により、間仕切りをニーズにあった直線や曲線を使って、何時でも間仕切りが簡単に変えられる装置である。
【背景技術】
【０００２】
収納間仕切りユニットは間仕切り壁を作らずに、部屋を壁から壁に箱体をつなげ間に出入り口扉を取り付けた間仕切り構造です、天井との間には設備配管や照明器具を備え、巾木には総合コンセントを用意して、出入り口の上部にはエアーコンが取り付けられる用意がしてあり、ユニットの裏面は化粧パネルを張り付けた構造である。
【先行技術文献】
【特許文献】
【０００３】
【特許文献１】特開平１１−１３７３４６号公報
【考案の概要】
【考案が解決しようとする課題】
【０００４】
現行寸法の欠点は収納ユニットが大きすぎるため、工場で材料のコスト高となる、間仕切り収納裏面パネルも大判で下地材、の上に仕上げ材を張り合わせる方式のため、材料費が高くなる。製品が大型の為現場搬入の困難と現場施工が複雑で携わる人間も修練者が数人必要となり、総じて売価が高くなるため、普及、実現が出来なかった。
【課題を解決するための手段】
【０００５】
現行収納ユニットの幅寸法（６００、７５０、９００、１２００）を改め基本として幅寸法９００にする、必要に応じても９００以下にする。高さ寸法はモジュール化して（５８０、７２０、８８０、１０００、１３００）の分割ユニットを必要に応じて、積み重ねる事により希望の高さになるし、裏面パネルの改良により余分な材料も不要になり、尚ユニット分割は工場生産性の向上があり、コストダウン化する。かつ現場搬入の容易さ、施工の簡略化と梁、柱の部分の設計にも対応出来る上、梯形（台形）ユニットを用いて設計すれば直線、曲線が自由に出来る。直線の場合のユニットの裏面はパネルだけで、壁体としてしか利用できなかったが曲線を使えば、ユニットも組み込める特徴を有する。
【考案の効果】
【０００６】
収納ユニットの幅寸法は９００ｍｍを基本とする、必要に応じての寸法も９００ｍｍ以下とする。高さ寸法は分割化してモジュール化する。間仕切り裏面パネル幅寸法は４５０ｍｍにする。特殊取り付け金物により、下地材が不要になった。梯形のユニットを作ることにより、直線設計から曲線設計も可能になり間仕切り裏面側に自由なユニット配置して、部屋の表、裏が無くなった。材料の軽減により、コストが下がり、ユニットの分割化で現場搬入に要する人件費の軽減、施工方法の簡略化、余分な材料が必要なく、総じて売価の低減になり、超高層住宅から、一戸建て住宅にも活用出来る。改良間仕切りユニットにより、安易に部屋を変えることが可能になり、広くユーザーのニーズに対応できる装置である。
【図面の簡単な説明】
【０００７】
【図１】バックパネル（Ａ）の裏側に取り付け金具を固定した図である。ボルト（Ｃ）が解るように断面図で示した。
【図２】取り付け金具（イ）、受け金具（留め金具）（ロ）、の詳細図である。
【図３】バックパネルに取り付け金具を固定した（図３−１）を（図３−２）キャビネット（Ｈ）、に取り付けて受け金具（留め金具）で押さえ、ナットＤで締め付け固定した状態を示した断面詳細図である。
【図４】分割収納ユニット（キャビネット）のモジュール図である。間口幅正面図、奥行き寸法５９０ｍｍ、６４０ｍｍ、を横断面図で示した。
【図５】梯形キャビネット正面図「ａ」，平面（ｂ）で表し，（ｃ）平面図は梯形キャビネットの設計説明図である。直線キャビネットに梯形キャビネットを接続すると曲線が出来背面側の部屋にも収納キャビネットが付けられると部屋の裏、表という考えが無くなる特徴が生じ開閉扉で図示をした。
【図６】梯形キャビネットを利用して、曲線間仕切りにした見取り図（ｄ）天井に梁形が出っ張った所を避け、且つ収納キャビネットを取り付けた部屋を示す。（ｅ）は平面図にて曲線間仕切りを示す。
【考案を実施するための形態】
【０００８】
［図１］収納間仕切り（Ａ）バックパネルの裏面に図のように（Ｃ）ボルト付き金具を（Ｆ）金属ビスで固定する。（Ｇ）キャビネットの背板（Ｈ）の裏に（Ｂ）の補強板を取り付け固定する。（Ｃ）のボルト用穴を貫通させ、（Ｄ）の留め金具を（Ｅ）ナットにて固定する。
［図４］収納キャビネットの分割モジュール。
［図５］矩形キャビネットを作る。梯形キャビネットを使用する事ににより、直線間仕切りから曲線間仕切りまで自由設計が可能になり間仕切りの裏面はパネル材だけだった部屋にユニットを混ぜて収納が可能になった。
【０００９】
以下、添付図面に従って実施例を説明する。
「図１」のバックパネル（裏面パネル）に「図２」イの金具を使用することによりバックパネルを直接キャビネット（ユニット）の裏面に張り付けることが出来る。取り外しの際はナットＤを外すだけで、バックパネルを取り外せる。尚且つバックパネルの幅寸法は４５０ｍｍにする為、取り扱いが容易である。
「図４」は収納キャビネットの分割化モジュール図を示す。
天井高の有効寸法等に合わせて、キャビネットを上下に積み重ねて使用するが、固定はビスで固定する。又梁、柱が部屋内に出っ張った場合も対応出来る。
「図５」の梯形キャビネットを作る事により、間仕切りが困難な部屋も直線に曲線を混ぜる事により、自由に設計が可能になった。
「図６」直線と曲線を利用して両面がユニットの使用が可能になる例えを図示した。
【産業上の利用可能性】
【００１０】
集合住宅、超高層集合住宅が建築されているが、最初から建築で決めた間取りだけでは多岐にわたる要望には応えられない。そのためにはスケルトン方式で仕上げた住宅が望ましい。つまり間仕切りが何時でも簡単に移動出来れば、住む人の変化や多岐にわたる要望に対応出来る。移動に伴う材料費、工事代金、時間等が節約出来るし、建築工事において、固定間仕切り壁の製作が不要ですし、収納間仕切りは収納を兼ね備えているため、売価が高いのが欠点でした。種々の工夫をして改良間仕切りユニットにしたので、売価を低減するのに役立ち、広く住宅建設に普及する装置である。
【符号の説明】
【００１１】
Ａ  バックパネル
Ｂ  補強材（キャビネット背板に付ける留め金具の補強）
Ｃ  バックパネルを取り付けるためのボルト
Ｄ  ナット５ｍｍ用
Ｅ  取り付け金具をバックパネルに固定するビス穴径３ｍｍ
Ｆ  取り付け金具のボルトを通す開口穴
Ｇ  ナット締め付け用ワッシャー
Ｈ  キャビネット断面
Ｉ  キャビネットの背板
イ  取り付け金具
ロ  受け金具（留め金具）
ａ  梯形キャビネット正面図
ｂ  梯形キャビネット平面図
ｃ  梯形キャビネットと直線キャビネットの接続平面図
ｄ  梯形キャビネット見取り図
ｅ  梯形キャビネット曲線平面図
【図１】
0003152891.tif 000003
【図２】
0003152891.tif 000004
【図３】
0003152891.tif 000005
【図４】
0003152891.tif 000006
【図５】
0003152891.tif 000007
【図６】
0003152891.tif 000008
【手続補正書】
【提出日】平成21年6月15日(2009.6.15)
【手続補正１】
【補正対象書類名】実用新案登録請求の範囲
【補正対象項目名】全文
【補正方法】変更
【補正の内容】
【実用新案登録請求の範囲】
【請求項１】
収納間仕切りユニットの改良構造であって、
収納間仕切りユニットは、その寸法幅を９００ｍｍ以下でかつ高さ寸法を複数種類設定した組み立て自在な分割ユニット体であり、この分割ユニット体を必要に応じて積み重ねる事により希望の高さに構成される事を特徴とする収納間仕切りユニットの改良構造。
【請求項２】
収納間仕切りユニットの裏面側に、ボルト等の締結具を備えた取り付具を有して下地材不要でキャビネットに取り付け可能となる裏面用パネルを用いた事を特徴とする請求項１記載の収納間仕切りユニットの改良構造。
【請求項３】
水平方向断面梯形状の収納間仕切りユニットを備えた請求項１又は２記載の収納間仕切りユニットの改良構造。